(57)【要約】【課題】  簡便に個別の照明装置を制御可能な照明制御用受信装置、それを用いた照明装置およびそれを用いた照明制御用送受信装置を提供する。【解決手段】  本発明の照明制御用受信装置は、受信部、照明制御部および受信角度制御部を含み、前記受信部は、操作信号を受信し、前記照明制御部は、前記受信部が受信した前記操作信号に基づき、照明制御信号を制御対象の照明装置に送信し、前記受信角度制御部が、前記受信部の受信角度に角度指向性を持たせることを特徴とする。【選択図】  図２
2015197958.tif 000002
【特許請求の範囲】
【請求項１】
受信部、照明制御部および受信角度制御部を含み、
前記受信部は、操作信号を受信し、
前記照明制御部は、前記受信部が受信した前記操作信号に基づき、照明制御信号を制御対象の照明装置に送信し、
前記受信角度制御部が、前記受信部の受信角度に角度指向性を持たせることを特徴とする、照明制御用受信装置。
【請求項２】
前記受信角度制御部は、前記受信部を囲い、且つ前記受信部の受信面より高い壁であり、
前記壁は、前記操作信号を通さない素材で形成されている、請求項１記載の照明制御用受信装置。
【請求項３】
前記壁は、前記受信面に対する角度を調整可能である、請求項２記載の照明制御用受信装置。
【請求項４】
前記操作信号が、赤外線による操作信号であり、
前記壁が、赤外線を通さない素材で形成されている、請求項２または３記載の照明制御用受信装置。
【請求項５】
さらに、前記照明制御用受信装置は、記憶部を含み、
前記記憶部は、前記受信部が受信した光度操作信号に基づき、前記照明制御部が前記制御対象の照明装置に送信した光度制御信号を記憶し、
前記照明制御部は、前記受信部が受信した点灯操作信号に基づき、前記記憶部が記憶している前記光度制御信号を前記制御対象の照明装置に送信する、請求項１から４のいずれか一項に記載の照明制御用受信装置。
【請求項６】
さらに、前記照明制御用受信装置は、報知部を含み、
前記報知部は、前記受信部が受信した操作信号に基づき、前記受信部が前記操作信号を受信したことを報知する、請求項１から５のいずれか一項に記載の照明制御用受信装置。
【請求項７】
照明制御用受信装置および照明部を含み、
前記照明制御用受信装置が、請求項１から６のいずれか一項に記載の照明制御用受信装置であることを特徴とする、照明装置。
【請求項８】
さらに、照明制御用送信装置を含む、請求項７記載の照明装置。
【請求項９】
照明制御用受信装置および照明制御用送信装置を含み、
前記照明制御用受信装置が、請求項１から６のいずれか一項に記載の照明制御用受信装置であることを特徴とする、照明制御用送受信装置。
【発明の詳細な説明】
【技術分野】
【０００１】
本発明は、照明制御用受信装置、照明装置および照明制御用送受信装置に関する。
【背景技術】
【０００２】
照明制御用送受信装置を用いて複数の照明装置をそれぞれ制御する方法として、特許文献１には、前記照明制御用送信装置との通信チャンネルを設定するチャンネル設定スイッチを照明装置に設け、複数の前記照明装置で異なる前記通信チャンネルを使用することにより、前記複数の照明装置を個別に制御する方法が開示されている。
【０００３】
また、特許文献２には、照明制御用送信装置の位置、および操作中の前記照明制御用送信装置の角度等から、複数の照明装置の中から制御対象の照明装置の位置を特定し、前記照明制御用送信装置から前記複数の照明装置を制御する制御装置へ、前記照明制御用送信装置および前記制御対象の照明装置の位置情報を送信し、前記制御装置は、前記照明制御用送信装置および前記制御対象の照明装置の位置情報に基づき、前記制御対象の照明装置を制御する方法が開示されている。
【先行技術文献】
【特許文献】
【０００４】
【特許文献１】特開２０１３−２３９４６３号公報
【特許文献２】特開２０１３−１２０６２３号公報
【発明の概要】
【発明が解決しようとする課題】
【０００５】
しかしながら、工場等の多数の照明装置を設置する場合、特許文献１の方法では、前記多数の照明装置と前記照明制御用送信装置との間で使用する前記通信チャンネルが、前記照明装置の数に応じて必要であるという問題がある。また、多数の前記通信チャンネルが互いに干渉しないように、前記通信チャンネルを最適化する必要があるため、コストがかかるという問題があった。また、特許文献２の方法では、前記照明制御用送信装置の位置情報を把握する装置の導入、および前記照明制御用送信装置の位置情報および前記複数の照明装置の位置情報を処理するシステムの導入が必要であり、コストがかかるという問題があった。
【０００６】
そこで、本発明は、簡便に個別の照明装置を制御可能な照明制御用受信装置、それを用いた照明装置およびそれを用いた照明制御用送受信装置を提供することを目的とする。
【課題を解決するための手段】
【０００７】
前記目的を達成するために、本発明の照明制御用受信装置は、受信部、照明制御部および受信角度制御部を含み、前記受信部は、操作信号を受信し、前記照明制御部は、前記受信部が受信した前記操作信号に基づき、照明制御信号を制御対象の照明装置に送信し、前記受信角度制御部が、前記受信部の受信角度に角度指向性を持たせることを特徴とする。
【０００８】
本発明の照明装置は、照明制御用受信装置および照明部を含み、前記照明制御用受信装置が、前記本発明の照明制御用受信装置であることを特徴とする。
【０００９】
本発明の照明制御用送受信装置は、照明制御用受信装置および照明制御用送信装置を含み、前記照明制御用受信装置が、前記本発明の照明制御用受信装置であることを特徴とする。
【発明の効果】
【００１０】
本発明によれば、簡便に個別の照明装置を制御可能な照明制御用受信装置、それを用いた照明装置およびそれを用いた照明制御用送受信装置を提供することができる。
【図面の簡単な説明】
【００１１】
【図１】図１は、本発明の照明制御用受信装置の構成の一例を示す模式斜視図である。
【図２】図２は、本発明の照明制御用受信装置において、受信角度制御部および受信部と受信角度との関係を示す模式拡大図である。
【図３】図３は、本発明の照明制御用受信装置を用いて、照明装置を制御する方法を示す模式図である。
【図４】図４は、本発明の照明制御用受信装置が、各縦方向距離において受信可能な横方向距離を示したグラフである。
【図５】図５は、本発明の照明装置の構成の一例を示す模式斜視図である。
【図６】図６は、本発明の照明制御用送受信装置の構成の一例を示す模式斜視図である。
【発明を実施するための形態】
【００１２】
本発明の照明制御用受信装置において、前記受信角度制御部は、前記受信部を囲い、且つ前記受信部の受信面より高い壁であり、前記壁は、前記操作信号を通さない素材で形成されていることが好ましい。
【００１３】
本発明の照明制御用受信装置において、前記壁は、前記受信面に対する角度を調整可能であることが好ましい。
【００１４】
本発明の照明制御用受信装置において、前記操作信号が、赤外線による操作信号であり、前記壁が、赤外線を通さない素材で形成されていることが好ましい。
【００１５】
本発明の照明制御用受信装置は、さらに、記憶部を含み、前記記憶部は、前記受信部が受信した光度操作信号に基づき、前記照明制御部が前記制御対象の照明装置に送信した光度制御信号を記憶し、前記照明制御部は、前記受信部が受信した点灯操作信号に基づき、前記記憶部が記憶している前記光度制御信号を前記制御対象の照明装置に送信することが好ましい。
【００１６】
本発明の照明制御用受信装置は、さらに、報知部を含み、前記報知部は、前記受信部が受信した操作信号に基づき、前記受信部が前記操作信号を受信したことを報知することが好ましい。
【００１７】
本発明の照明装置は、さらに、照明制御用送信装置を含むことが好ましい。
【００１８】
以下、本発明の照明制御用受信装置、照明装置および照明制御用送受信装置について、図面を参照して、例を挙げて詳細に説明する。ただし、本発明は、以下の例に限定および制限されない。また、図面においては、説明の便宜上、各部の構造は適宜簡略化して示す場合があり、各部の寸法比等は、実際とは異なり、模式的に示す場合がある。
【００１９】
＜照明制御用受信装置＞
本発明の照明制御用受信装置は、前述のように、受信部、照明制御部および受信角度制御部を含み、前記受信部は、操作信号を受信し、前記照明制御部は、前記受信部が受信した前記操作信号に基づき、照明制御信号を制御対象の照明装置に送信し、前記受信角度制御部が、前記受信部の受信角度に角度指向性（以下、「受信部の角度指向性」ともいう。）を持たせることを特徴とする。本発明の照明制御用受信装置は、前記受信角度制御部が、前記受信部の受信角度に角度指向性を持たせることを特徴とし、その他の構成および条件は、特に制限されない。本発明の照明制御用受信装置は、前記受信部が、受信角度に角度指向性を持っているため、例えば、複数の前記照明制御用受信装置を受信領域が重複しないように設置可能である。このため、本発明の照明制御用受信装置によれば、簡便に個別の照明装置を制御可能である。本発明の照明制御用受信装置は、後述する本発明の照明装置等の説明を互いに援用できる。
【００２０】
本発明において、「角度指向性」とは、例えば、前記受信部の受信角度および受信方向を、所定の角度および方向にすることをいう。前記所定の角度および方向は、例えば、複数の前記照明制御用受信装置を設置した場合に、複数の前記照明制御用受信装置の受信領域が重複しない角度および方向があげられる。また、本発明において、「上」とは、前記受信部の受信面側と反対の方向をいい、「下」とは、前記受信部の前記受信面側の方向をいう。本発明において、「高さ」とは、上下方向の長さをいい、「径」とは、上下方向に対し、垂直方向の長さをいう。
【００２１】
図１（Ａ）は、本実施形態の照明制御用受信装置の構成の一例を示す模式透視斜視図であり、図１（Ｂ）は、図１（Ａ）のＩ−Ｉ方向から見た模式断面図である。図１（Ａ）および（Ｂ）に示すように、本実施形態の照明制御用受信装置１００は、受信角度制御部１、受信部２および照明制御部３を主要な構成要素として含む。本実施形態において、受信角度制御部１は、筐体５の一面に埋め込むように設置され、受信部２は、受信面を下方向とし、受信角度制御部１に囲われるように設置されている。また、図１（Ｂ）に示すように、受信部２は、配線４を介して、照明制御部３と電気的に接続されている。本実施形態において、配線４および筐体５は、任意の構成要素であり、あってもよいし、なくてもよい。また、図示していないが、本実施形態において、照明制御用受信装置１００は、外部の電源から電気を供給されており、これにより受信部２および照明制御部３が動作する。本実施形態の照明制御用受信装置１００は、この例に限定されず、内部に前記電源を含んでもよい。
【００２２】
図１において、受信部２は、受信角度制御部１の上端に設置されているが、この例に限定されず、例えば、受信角度制御部１の中央、下端等において、受信角度制御部１に囲われるように設置されてもよい。
【００２３】
図１において、受信部２と照明制御部３とは、配線４を介して間接的に接続されているが、この例には限定されず、例えば、直接的に接続されてもよい。
【００２４】
本実施形態において、受信角度制御部１は、受信部２を囲い、且つ受信部２の受信面より高い壁であるが、この例には限定されない。
【００２５】
図２を参照し、本実施形態の照明制御用受信装置１００において、受信部２の角度指向性を制御する方法について説明する。照明制御用受信装置１００において、受信部２の角度指向性は、例えば、受信角度制御部１の高さおよび径、ならびに受信角度制御部１の受信部２の受信面に対する角度の少なくとも１つを制御することにより、制御される。図２は、図１（Ａ）のＩ−Ｉ方向から見た際の受信角度制御部１および受信部２周囲の模式拡大図である。図２において、２本の一点鎖線で挟まれ、且つ照明制御用受信装置１００の外側の領域は、受信部２が受信可能な領域を示す。また、図２において、２本の２点鎖線は、それぞれ前記２本の一点鎖線を受信部２側へ延長した線である。そして、前記２本の２点鎖線の交点に示した角度αは、前記２本の２点鎖線が形成する角度であり、受信部２の受信角度を示す。図２において、角度βは、受信角度制御部１の右側の前記壁と受信部２の受信面が形成する角度である。なお、図２（Ａ）は、前記角度βが、９０度である例を示している。
【００２６】
図２（Ａ）〜（Ｃ）は、受信角度制御部１の径を一定とし、受信角度制御部１の高さを変化させた時の受信部２の受信角度の変化を示す図である。図２（Ａ）〜（Ｃ）に示すように、受信角度制御部１の高さは、図２（Ｃ）、（Ａ）および（Ｂ）の順で高くなる。図２（Ａ）および（Ｂ）に示すように、受信角度制御部１の径を一定とし、受信角度制御部１の高さを高くした場合、受信部２の受信角度αは、小さくなる。また、図２（Ａ）および（Ｃ）に示すように、受信角度制御部１の径を一定とし、受信角度制御部１の高さを低くした場合、受信部２の受信角度αは、大きくなる。このように、受信角度制御部１の高さを変化させることで、受信部２の受信角度αを任意の角度に制御できる。
【００２７】
図２（Ａ）、（Ｄ）および（Ｅ）は、受信角度制御部１の高さを一定とし、受信角度制御部１の径を変化させた時の受信部２の受信角度αの変化を示す図である。図２（Ａ）、（Ｄ）および（Ｅ）に示すように、受信角度制御部１の径は、図２（Ｅ）、（Ａ）および（Ｄ）の順で長くなる。図２（Ａ）および（Ｄ）に示すように、受信角度制御部１の高さを一定とし、受信角度制御部１の径を長くした場合、受信部２の受信角度αは、大きくなる。また、図２（Ａ）および（Ｅ）に示すように、受信角度制御部１の高さを一定とし、受信角度制御部１の径を短くした場合、受信部２の受信角度αは、小さくなる。このように、受信角度制御部１の径を変化させることで、受信部２の受信角度αを任意の角度に制御できる。
【００２８】
図２（Ｆ）および（Ｇ）は、受信角度制御部１の高さおよび受信部２の大きさを一定とし、受信角度制御部１の径を変化させた時の受信部２の受信角度αの変化を示す図である。図２（Ｆ）および（Ｇ）に示すように、受信角度制御部１の径は、図２（Ｆ）および（Ｇ）の順で長くなる。図２（Ｆ）および（Ｇ）に示すように、受信部１の大きさおよび受信角度制御部１の高さを一定とし、受信角度制御部１の径を長くした場合、受信部２の受信角度αは、大きくなる。このように、受信部２の大きさを一定とした場合においても、受信角度制御部１の径を変化させることで、受信部２の受信角度αを任意の角度に制御できる。
【００２９】
図２（Ａ）、（Ｈ）および（Ｉ）は、受信角度制御部１の高さおよび径、ならびに受信部２の大きさを一定とし、受信角度制御部１の受信部２の受信面に対する前記角度βを変化させた時の受信方向の変化を示す図である。図２（Ａ）および（Ｈ）に示すように、受信角度制御部１の高さおよび径、ならびに受信部２の大きさを一定とし、受信角度制御部１の受信部２の受信面に対する前記角度βを小さくした場合（図２（Ａ）から図２（Ｈ）へ変化させた場合）、受信部２の受信領域は、左側へ、すなわち受信部２の受信方向は、左側へ移動する。また、図２（Ａ）および（Ｉ）に示すように、受信角度制御部１の高さおよび径、ならびに受信部２の大きさを一定とし、受信角度制御部１の受信部２の受信面に対する前記角度βを大きくした場合（図２（Ａ）から図２（Ｉ）へ変化させた場合）、受信部２の受信領域は、右側へ、すなわち受信部２の受信方向は、右側へ移動する。このように、受信角度制御部１の受信部２の受信面に対する前記角度βを変化させることで、受信部２の受信方向を任意の方向に制御できる。
【００３０】
図２において、受信角度制御部１の高さまたは径、もしくは受信角度制御部１の受信部２の受信面に対する前記角度βのいずれかを変化させ、受信部２の角度指向性を制御したが、これらの例に限定されない。本実施形態の照明制御用受信装置１００は、これらを組合せて、受信部２の角度指向性を制御してもよい。以上のように、本実施形態の照明制御用受信装置１００において、受信部２の角度指向性は、例えば、受信角度制御部１の高さおよび径、ならびに受信角度制御部１の受信部２の受信面に対する角度の少なくとも１つを制御することにより、制御できる。
【００３１】
つぎに、一例として、床面から５ｍの高さに、本発明の照明制御用受信装置を５ｍ間隔で配置した際に、各照明制御用受信装置を個別に制御可能な前記受信角度制御部の構造を説明する。具体的には、本実施形態の照明制御用受信装置１００を設置した場合を例にあげて説明する。本例において、照明制御用受信装置１００の受信角度制御部１の受信部２に対する前記角度βは、図２（Ａ）と同様に、例えば、９０度であるとする。
【００３２】
照明制御用受信装置１００において、受信角度制御部１の高さは、使用する受信部２の種類に応じて、適宜決定できる。受光角度制御部１の高さは、例えば、５〜５０ｍｍの範囲であり、好ましくは１０〜３０ｍｍの範囲であり、より好ましくは１５〜２５ｍｍの範囲である。受信角度制御部１の径は、例えば、０．５〜５ｍｍの範囲であり、好ましくは１〜４ｍｍの範囲であり、より好ましくは２〜３ｍｍの範囲である。受信角度制御部１の高さ（Ｈ）と径（Ｒ）との比（Ｈ：Ｒ）は、例えば、１：０．１〜１：０．１２の範囲である。受信角度制御部１の径は、短径であってもよいし、長径であってもよい。
【００３３】
照明制御用受信装置１００において、受信部２の受信角度αは、例えば、５〜４５度の範囲であり、好ましくは１０〜３０度の範囲であり、より好ましくは１５〜２０度の範囲である。照明制御用受信装置１００の受信角度制御部１および受信部２の受信角度αを、このような範囲とすることで、地上から５ｍの高さに、本発明の照明制御用受信装置を５ｍ間隔で配置した際に、各照明制御用受信装置を個別に制御可能である。なお、本例では、床面から５ｍの高さに、本発明の照明制御用受信装置を５ｍ間隔で配置した際を例にあげて説明したが、本発明は、本例により限定および制限されない。本発明は、他の床面からの高さおよび間隔で配置した際にも、上記記載を参照し、同様に、受光角度制御部１の高さ等を制御することで、各照明制御用受信装置を個別に制御可能である。
【００３４】
受信角度制御部１の形成材料は、例えば、前記操作信号を通さない素材（以下、「非透過素材」という。）が好ましい。受信角度制御部１は、例えば、前記非透過素材で形成することで、前述のように、受信角度制御部１の高さおよび径、ならびに受信部２の大きさおよび形状（以下、「受信部２の大きさ等」という。）を調整することにより、受信部２の角度指向性を簡便に制御できる。前記非透過素材は、例えば、前記操作信号を反射する素材、前記操作信号を吸収する素材、前記操作信号を遮断する素材等があげられる。前記非透過素材は、例えば、前記操作信号に使用する通信手段の種類に応じて、適宜決定できる。前記通信手段は、例えば、赤外線、電波、可視光、その他通信機器に用いられている通信手段等があげられる。前記通信手段は、環境中のノイズが少ないため、ノイズによる影響を抑制でき、送信装置および受信装置に１対１対応もしくは１対複数対応の複数のアドレスの設定が不要であり、コストを抑制でき、且つ、指向性が高く、角度指向性を簡便に制御できることから、好ましくは赤外線である。前記通信手段が、赤外線の場合、前記非透過素材は、例えば、有彩色の樹脂、黒色の樹脂等の不透明樹脂、エスカ（三菱レイヨン社製）、スーパーエスカ（三菱レイヨン社製）、黒色の赤外線遮光樹脂等の赤外線遮光樹脂、アルミ、鉄等の金属があげられ、赤外線の遮光性が高く、角度指向性を簡便に制御できることから、黒色の樹脂、赤外線遮光樹脂が好ましい。前記通信手段が、電波の場合、前記非透過素材は、例えば、ウレタン、ポリスチレン等の樹脂、鉄、ニッケル、軽金属等の金属、フェライト等のセラミックス、カーボン等があげられる。
【００３５】
受信角度制御部１が、前記非透過素材で形成される場合、受信角度制御部１は、受信角度制御部１の全体が、前記非透過素材で形成されてもよいし、受信角度制御部１の一部が、前記非透過素材で形成されてもよい。後者の場合、受信角度制御部１は、受信角度制御部１の表面全体が、前記非透過素材で形成されてもよいし、受信角度制御部１の内側（受信部２の配置側）の表面が、前記非透過素材で形成されてもよい。また、後者の場合、受信角度制御部１は、基体に対して、前記非透過素材を塗布等することで形成できる。
【００３６】
受信角度制御部１の形成材料は、例えば、柔軟性のない素材から形成されてもよいし、柔軟性のある素材から形成されてもよい。後者の場合、受信角度制御部１は、受信部２の受信面に対する角度を調整可能であり、これにより前述のように、受信部２の角度指向性を制御できるため、好ましい。
【００３７】
受信角度制御部１の形状は、特に制限されず、例えば、受信部２の大きさ等に応じて、適宜決定できる。受信角度制御部１の形状は、例えば、柱状、錐状等があげられる。受信角度制御部１は、その断面形状が、例えば、三角形状、四角形状等の多角形状、正円状、楕円状等の円状等があげられる。受信角度制御部１の形状および断面形状は、コストを抑制でき、且つ、角度指向性を簡便に制御できることから、前記形状が、柱状であり、前記断面形状が、円状である、直線状の円筒形が好ましい。受信角度制御部１の大きさは、特に制限されず、例えば、前述の受信部２の角度指向性および受信部２の大きさ等に応じて、適宜決定できる。
【００３８】
受信部２は、例えば、照明制御用送信装置から送信された前記操作信号を受信する。また、受信部２は、例えば、前記操作信号を、照明制御部３に電気的に送信する。受信部２は、例えば、前記操作信号を受信可能な受信回路、受光素子等があげられる。前記受信回路は、例えば、前記操作信号に使用する通信手段の種類に応じて、適宜決定できる。受信部２が受信する前記操作信号の種類は、特に制限されず、例えば、点灯操作信号、消灯操作信号、光度操作信号、光色操作信号、点灯時間（タイマー）操作信号、点灯記憶操作信号（照明中の光度を後述する記憶部に記憶させる操作信号）等があげられる。前記制御対象の照明装置が、複数の光源を有している場合、前記点灯操作信号等は、例えば、前記複数の光源のうち１つの光源を点灯等させる操作信号であってもよいし、２つ以上の光源を点灯等させる操作信号であってもよい。
【００３９】
受信部２の大きさおよび形状は、特に制限されず、例えば、受信角度制御手段１の大きさおよび形状、ならびに前述の受信部２の角度指向性に応じて、適宜決定できる。
【００４０】
照明制御部３は、例えば、受信部２が受信した前記操作信号に基づき、照明制御信号を制御対象の照明装置に送信する。照明制御部３は、例えば、マイクロプロセッサ、マイクロコントローラー等があげられる。前記照明制御信号の種類は、例えば、前述の操作信号の種類の説明を援用できる。前記照明制御信号は、例えば、パルス幅変調（ＰＷＭ）信号、アナログ信号等があげられる。前記照明制御信号は、例えば、照明制御用受信装置１００を前記制御対象の照明装置に後付け可能なことから、ＰＷＭ信号であることが好ましい。前記制御対象の照明装置は、特に制限されず、例えば、前記照明装置の照明部、電源等があげられる。
【００４１】
配線４は、特に制限されず、例えば、公知の配線を使用できる。
【００４２】
筐体５の形成材料は、特に制限されない。照明制御用受信装置１００を天井面へ設置する場合、筐体５は、例えば、照明制御用受信装置１００を軽量化可能なことから、ポリカーボネート（ＰＣ）、ＡＢＳ樹脂、ポリフェニレンサルファイド樹脂（ＰＰＳ）等の樹脂が好ましい。筐体５の形成材料は、前記非透過材料であることが好ましい。筐体５は、前記非透過材料で形成することにより、例えば、受信部２の横方向および上方向からの前記操作信号を遮断でき、下方向の角度指向性を受信部２に付与することができる。筐体５の形成方法は、特に制限されず、例えば、前述の受信角度制御部１の説明を援用できる。
【００４３】
筐体５の大きさおよび形状は、特に制限されず、例えば、内側に配置する受信角度制御部１、受信部２、照明制御部３および配線４の大きさおよび形状に応じて、適宜決定できる。
【００４４】
本実施形態の照明制御用受信装置１００の設置する高さは、特に制限されず、例えば、前記照明制御用送信装置の前記操作信号の強度により適宜決定できる。照明制御用受信装置１００の設置する高さは、設置場所の床面を基準として、例えば、２５ｍ以下であり、好ましくは１５ｍ以下であり、より好ましくは１２ｍ以下である。
【００４５】
本発明の照明制御用受信装置は、さらに、記憶部を含み、前記記憶部は、受信部２が受信した光度操作信号に基づき、照明制御部３が前記制御対象の照明装置に送信した前記光度制御信号を記憶し、照明制御部３は、受信部２が受信した点灯操作信号に基づき、前記記憶部が記憶している前記光度制御信号を前記制御対象の照明装置に送信することが好ましい。本発明の照明制御用受信装置は、前記記憶部を含むことで、例えば、操作者が、前記照明制御用送信装置を用いて点灯操作を行った際に、前記光度制御信号を受信した前記制御対象の照明装置の光度が、消灯操作前の光度で点灯する。このため、前記操作者が前記点灯操作毎に前記制御対象の照明装置の光度を調整する必要が無く、より簡便に個別の照明装置を制御可能になる。
【００４６】
前記記憶部は、照明制御部３と一体として形成されてもよいし、別個に形成されてもよい。前者の場合、照明制御部３は、例えば、マイクロコントローラーがあげられる。後者の場合、前記記憶部は、例えば、ＨＤＤ、ＲＡＭ、ＲＯＭ等の記憶媒体があげられる。また、後者の場合、前記記憶部は、例えば、照明制御部３と電気的に接続されている。
【００４７】
本発明の照明制御用受信装置は、さらに、報知部を含み、前記報知部により、受信部２が受信した操作信号に基づき、受信部２が前記操作信号を受信したことを報知することが好ましい。本発明の照明制御用受信装置は、前記報知部を含むことで、例えば、前記操作者が、前記照明制御用送信装置を用いて前記操作信号を送信した際に、前記操作信号が受信されたことを確認できる。このため、前記操作者が、前記制御対象の照明装置の点灯を確認せず、他の照明装置の制御に移ることができ、より簡便に個別の照明装置を制御可能になる。
【００４８】
前記報知部が、報知する方法は、特に制限されず、例えば、光による報知、音による報知等があげられる。前者の場合、前記報知部は、ＬＥＤ（Light  Emitting  Diode、発光ダイオード）、ＯＬＥＤ（Organic Light  Emitting  Diode、有機発光ダイオード）、レーザーダイオード等があげられる。後者の場合、前記報知部は、スピーカー、ブザー等があげられる。
【００４９】
本発明の照明制御用受信装置は、さらに、チャンネル切り替え部を含み、前記チャンネル切り替え部は、受信部２が受信可能な前記操作信号のチャンネルを切り替えることが好ましい。本発明の照明制御用受信装置は、前記チャンネル切り替え部を含むことで、例えば、使用する前記チャンネルが異なる複数の本発明の照明制御用受信装置を近接して設置した場合に、異なる前記チャンネルで、複数の前記照明制御用受信装置を操作することができ、より簡便に個別の照明装置を制御可能になる。前記チャンネルの数は、特に制限されず、例えば、２〜１０チャンネルの範囲であり、好ましくは２〜５チャンネルの範囲である。
【００５０】
つぎに、図３を参照して、本発明の照明制御用受信装置の使用方法について、説明する。図３は、一例として、照明制御用受信装置１００を用いて、照明装置である照明部２００を制御する方法を示す模式図である。図３において、一点鎖線は、照明制御用受信装置１００の受信部の受信領域を示し、照明制御用送信装置４００の上部の３本の曲線は、照明制御用送信装置４００から送信された操作信号を示す。図３の右側に示すように、前記操作者が、照明制御用受信装置１００の前記受信部の受信領域内で、照明制御用装置４００を用いて前記操作信号を送信した場合、照明制御用受信装置１００は、前記操作信号を受信し、照明部２００を制御する。一方、図３の左側に示すように、前記操作者が、照明制御用受信装置１００の受信部２の受信領域外で、照明制御用装置４００を用いて前記操作信号を送信した場合、照明制御用受信装置１００は、前記操作信号を受信できないため、照明部２００を制御しない。このように、本発明の照明制御用受信装置は、前記受信部に角度指向性を持たせているため、前記操作者は、所定の角度および方向からのみ、前記照明制御用送信装置を用いて、前記照明装置を制御できる。
【００５１】
つぎに、一例として、本発明の照明制御用受信装置の前記受信角度制御部の径を変化させた際に、本発明の照明制御用受信装置の前記受信部の角度指向性が変化することを説明する。
【００５２】
前記照明制御用受信装置は、円筒形状の前記受信角度制御部の高さを２０ｍｍとし、径を３または５ｍｍとした以外は、照明制御用受信装置１００と同様の構成とした。つぎに、前記照明制御用受信装置を、地上から１０ｍｍの地点に設置した。そして、前記照明制御用受信装置の受信部の受信面を基準とし、垂直方向（縦方向距離）の上方向へ合計１２ｍまで１ｍ毎に、前記照明制御用受信装置が受信可能な水平方向の距離（横方向距離）を、照明制御用送信装置を用いて測定した。
【００５３】
この結果を図４に示す。図４は、前記照明制御用受信装置が、各縦方向距離において受信可能な横方向距離を示したグラフである。図４において、縦軸は、縦方向距離を示し、横軸は、横方向距離を示し、図中の四角（■）は、前記受信角度制御部の径が３ｍｍの場合を示し、菱形（◆）は、前記受信角度制御部の径が５ｍｍの場合を示す。
【００５４】
図４に示すように、前記受信角度制御部の径を長くした場合、各縦方向距離において、受信可能な前記横方向距離は長くなった。すなわち、前記受信角度制御部の径を長くした場合、前記受信角度制御部の受信部の受信角度が大きくなることがわかった。これらのことから、前記受信角度制御部の径を変化させることで、前記受信部の受信角度を制御できること、すなわち、前記受信部の角度指向性を制御できることが確認できた。
【００５５】
＜照明装置＞
本発明の照明装置は、前述のように、照明制御用受信装置および照明部を含み、前記照明制御用受信装置が、前記本発明の照明制御用受信装置であることを特徴とする。本発明の照明装置は、前記照明制御用受信装置が、前記本発明の照明制御用受信装置であることを特徴とし、その他の構成および条件は、特に制限されない。本発明の照明装置は、例えば、前記本発明の照明制御用受信装置および後述する本発明の照明制御用送受信装置の説明を援用できる。
【００５６】
図５は、本実施形態の照明装置の構成の一例を示す斜視図である。図５に示すように、本実施形態の照明装置３００は、照明制御用受信装置１１０および照明部２１０を主要な構成要素として含む。図示していないが、本実施形態において、照明制御用受信装置１１０の照明制御部は、前記照明制御信号を照明部２１０の電源に送信可能に接続されている。そして、照明制御用受信装置１１０の照明制御部は、前記電源を制御することで、照明部２１０を制御する。この点を除いて、本実施形態の照明制御用受信装置１１０は、図１に示す照明制御用受信装置１００と同様の構成を有する。
【００５７】
本実施形態において、照明部２００は、前記電源と一体として形成されているが、本発明は、この例に限定されず、別個に形成されてもよい。後者の場合、前記照明制御部は、例えば、前記照明制御信号を、前記電源に送信可能に接続されている。
【００５８】
照明部２１０は、特に制限されず、例えば、公知の照明が使用できる。照明部２１０は、例えば、蛍光灯、ＬＥＤ、ＯＬＥＤ等があげられる。
【００５９】
本実施形態の照明装置３００は、さらに、後述する照明制御用送信装置を含んでもよい。
【００６０】
＜照明制御用送受信装置＞
本発明の照明制御用送受信装置は、前述のように、照明制御用受信装置および照明制御用送信装置を含み、前記照明制御用受信装置が、前記本発明の照明制御用受信装置であることを特徴とする。本発明の本発明の照明制御用送受信装置は、前記照明制御用受信装置が、前記本発明の照明制御用受信装置であることを特徴とし、その他の構成および条件は、特に制限されない。本発明の照明装置は、例えば、前記本発明の照明制御用受信装置等の説明を援用できる。
【００６１】
図６は、本実施形態の照明制御用送受信装置の構成の一例を示す模式斜視図である。図６に示すように、本実施形態の照明制御用送受信装置５００は、照明制御用受信装置１００および照明制御用送信装置４１０を主要な構成要素として含む。また、照明制御用操作装置４１０は、点灯操作ボタン７および消灯操作ボタン８を含む。
【００６２】
点灯操作ボタン７および消灯操作ボタン８は、例えば、それぞれのボタンを操作したときに、照明制御用送信装置４１０が、前記点灯操作信号および前記消灯操作信号を送信する。
【００６３】
照明制御用送信装置４１０は、さらに、前記操作信号に対応する光度操作ボタン、光色操作ボタン、点灯時間操作ボタン、点灯記憶操作ボタン等を含んでもよい。
【００６４】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００６５】
本発明によれば、簡便に個別の照明装置を制御可能な照明制御用受信装置、それを用いた照明装置およびそれを用いた照明制御用送受信装置を提供することができる。
【符号の説明】
【００６６】
１                受信角度制御部
２                受信部
３                照明制御部
４                配線
５                筐体
７                点灯操作ボタン
８                消灯操作ボタン
１００            照明制御用受信装置
２００、２１０    照明装置
３００            照明部
４００、４１０    明制御用送信装置
５００            照明制御用送受信装置
【図１】
2015197958.tif 000003
【図２】
2015197958.tif 000004
【図３】
2015197958.tif 000005
【図４】
2015197958.tif 000006
【図５】
2015197958.tif 000007
【図６】
2015197958.tif 000008